(57)【要約】【課題】電極を利用して検知できる現像カートリッジを提供すること。【解決手段】現像カートリッジ１は、現像剤を収容可能な筐体３と、第１方向に延びる第１軸Ａ１について回転可能な現像ローラ２と、第１方向における筐体３の一方側に位置し、第１方向に延びるシャフト１１と、シャフト１１について回転可能であり、現像ローラ２に電力を供給するための電極２３とを備える。電極２３は、電極２３と共に回転可能な、シャフト１１の周面の一部に沿って延びる第１突起２５を備える。【選択図】図１
2017167350.tif 000002
【特許請求の範囲】
【請求項１】
現像剤を収容可能な筐体と、
第１方向に延びる第１軸について回転可能な現像ローラと、
前記第１方向における前記筐体の一方側に位置し、前記第１方向に延びるシャフトと、
前記シャフトについて回転可能であり、前記現像ローラに電力を供給するための電極と、を備え、
前記電極は、前記電極と共に回転可能な、前記シャフトの周面の一部に沿って延びる第１突起を備えることを特徴とする現像カートリッジ。
【請求項２】
前記電極は、前記シャフトの周面の一部に沿って延びる第２突起であって、前記電極の回転方向において、前記第１突起から離れて位置する第２突起を備えることを特徴とする請求項１に記載の現像カートリッジ。
【請求項３】
前記回転方向における前記第１突起の第１長さと、前記回転方向における前記第２突起の第２長さとは、互いに異なることを特徴とする請求項２に記載の現像カートリッジ。
【請求項４】
前記第２突起は、前記回転方向に沿って延びる第２円弧面を有し、
前記第２円弧面の中心角の角度は、１０°以上２５０°以下であることを特徴とする請求項２または請求項３に記載の現像カートリッジ。
【請求項５】
前記第１突起は、前記第１方向に延び、
前記第２突起は、前記第１方向に延びていることを特徴とする請求項２から請求項４のいずれか一項に記載の現像カートリッジ。
【請求項６】
前記第１突起は、前記電極の回転方向に沿って延びる第１円弧面を有し、
前記第１円弧面の中心角の角度は、１０°以上３２０°以下であることを特徴とする請求項１から請求項５のいずれか一項に記載の現像カートリッジ。
【請求項７】
前記第１突起は、前記第１方向に延びていることを特徴とする請求項１から請求項６のいずれか一項に記載の現像カートリッジ。
【請求項８】
前記現像ローラは、前記第１方向に延びる現像ローラシャフトを備え、
前記現像ローラシャフトと前記電極とは、電気的に接続されていることを特徴とする請求項１から請求項７のいずれか一項に記載の現像カートリッジ。
【請求項９】
前記現像カートリッジは、さらに、
前記現像ローラシャフトが挿入され、前記現像ローラシャフトと電気的に接続されている軸受部材と、
前記軸受部材と前記電極とを電気的に接続する中継電極と、を備えていることを特徴とする請求項８に記載の現像カートリッジ。
【請求項１０】
前記現像カートリッジは、さらに、
前記現像ローラシャフトが挿入され、前記現像ローラシャフトと電気的に接続されている軸受部材を備え、
前記軸受部材と前記電極とが接触していることを特徴とする請求項８に記載の現像カートリッジ。
【請求項１１】
前記現像カートリッジは、さらに、
前記電極を前記軸受部材に向かって押圧する押圧部材を備えていることを特徴とする請求項１０に記載の現像カートリッジ。
【請求項１２】
前記押圧部材は、バネであることを特徴とする請求項１１に記載の現像カートリッジ。
【請求項１３】
前記現像カートリッジは、さらに、
前記電極の少なくとも一部を覆うカバーを備え、
前記押圧部材は、前記第１方向における前記カバーと前記電極との間に配置され、
前記第１方向における前記押圧部材の一方の端部は、前記カバーと接触し、
前記第１方向における前記押圧部材の他方の端部は、前記電極と接触していることを特徴とする請求項１１または請求項１２に記載の現像カートリッジ。
【請求項１４】
前記現像カートリッジは、さらに、
前記現像ローラシャフトが挿入され、前記現像ローラシャフトと電気的に接続されている軸受部材を備え、
前記軸受部材は、前記シャフトと電気的に接続され、
前記シャフトと前記電極とが接触していることを特徴とする、請求項８に記載の現像カートリッジ。
【請求項１５】
前記電極は、さらに、
前記電極の回転方向に沿って設けられた複数のギア歯であって、前記電極の周囲の一部に設けられた複数のギア歯を備えることを特徴とする請求項１から請求項１４のいずれか一項に記載の現像カートリッジ。
【請求項１６】
前記現像カートリッジは、さらに、
前記現像剤を撹拌可能なアジテータであって、前記第１方向に延びる第２軸について回転可能なアジテータと、
前記第１方向における前記アジテータの一方側に位置し、前記アジテータと共に回転可能な第１アジテータギアであって、前記複数のギア歯の少なくとも１つのギア歯と噛み合う第１アジテータギアと、
を備えることを特徴とする請求項１５に記載の現像カートリッジ。
【請求項１７】
前記現像カートリッジは、さらに、
前記第１方向における前記アジテータの他方側に位置し、前記アジテータと共に回転可能な第２アジテータギアと、
前記第２アジテータギアと噛み合うアイドルギアと、
前記アイドルギアと噛み合うカップリングギアを有し、前記第１方向に延びる第３軸について回転可能なカップリングと、
を備えることを特徴とする請求項１６に記載の現像カートリッジ。
【請求項１８】
前記現像カートリッジは、さらに、
前記第１方向における前記現像ローラの他方側に位置し、前記現像ローラと共に回転可能な現像ローラギアであって、前記カップリングギアと噛み合う現像ローラギアを備えることを特徴とする請求項１７に記載の現像カートリッジ。
【請求項１９】
前記カップリングは、駆動力を受けることが可能であり、前記駆動力に従って、前記第３軸について回転可能であることを特徴とする請求項１７または請求項１８に記載の現像カートリッジ。
【発明の詳細な説明】
【技術分野】
【０００１】
本発明は、現像カートリッジに関する。
【背景技術】
【０００２】
従来、現像ローラを備える現像カートリッジが知られている。現像カートリッジは、画像形成装置に対して着脱可能である。
【０００３】
例えば、現像カートリッジは、現像ローラに電力を供給するための電極を備える。電極は、画像形成装置の電力供給部と接触可能なシャフトを備える。現像カートリッジは、シャフトについて回転可能なギアと、ギアに設けられる突起とを備える。突起は、ギアと共に回転し、画像形成装置のレバーと接触する。レバーは、突起との接触により移動する。画像形成装置は、レバーの移動を検知して現像カートリッジの仕様を判断する（特許文献１参照。）。
【先行技術文献】
【特許文献】
【０００４】
【特許文献１】特開２０１３−５４０５３号公報
【発明の概要】
【発明が解決しようとする課題】
【０００５】
上述したギアの機能と電極の機能とを１つの部品で実現したいという要望がある。
【０００６】
そこで、本開示の目的は、電極を利用して、現像カートリッジの仕様を検知できる現像カートリッジを提供することにある。
【課題を解決するための手段】
【０００７】
（１）本発明の現像カートリッジは、現像剤を収容可能な筐体と、第１方向に延びる第１軸について回転可能な現像ローラと、第１方向における筐体の一方側に位置し、第１方向に延びるシャフトと、シャフトについて回転可能であり、現像ローラに電力を供給するための電極とを備える。電極は、電極と共に回転可能な、シャフトの周面の一部に沿って延びる第１突起を備える。
（２）電極は、シャフトの周面の一部に沿って延びる第２突起であって、電極の回転方向において、第１突起から離れて位置する第２突起を備えてもよい。
（３）回転方向における第１突起の第１長さと、回転方向における第２突起の第２長さとは、互いに異なってもよい。
（４）第２突起は、回転方向に沿って延びる第２円弧面を有してもよい。第２円弧面の中心角の角度は、１０°以上２５０°以下であってもよい。
（５）第１突起は、第１方向に延びてもよい。第２突起は、第１方向に延びてもよい。
（６）第１突起は、電極の回転方向に沿って延びる第１円弧面を有してもよい。第１円弧面の中心角の角度は、１０°以上３２０°以下であってもよい。
（７）第１突起は、第１方向に延びてもよい。
（８）現像ローラは、第１方向に延びる現像ローラシャフトを備えてもよい。現像ローラシャフトと電極とは、電気的に接続されてもよい。
（９）現像カートリッジは、さらに、現像ローラシャフトが挿入され、現像ローラシャフトと電気的に接続されている軸受部材と、軸受部材と電極とを電気的に接続する中継電極と、を備えてもよい。
（１０）現像カートリッジは、さらに、現像ローラシャフトが挿入され、現像ローラシャフトと電気的に接続されている軸受部材を備えてもよい。軸受部材と電極とは接触してもよい。
（１１）現像カートリッジは、さらに、電極を軸受部材に向かって押圧する押圧部材を備えてもよい。
（１２）押圧部材は、バネであってもよい。
（１３）現像カートリッジは、さらに、電極の少なくとも一部を覆うカバーを備えてもよい。押圧部材は、第１方向におけるカバーと電極との間に配置されてもよい。第１方向における押圧部材の一方の端部は、カバーと接触してもよい。第１方向における押圧部材の他方の端部は、電極と接触してもよい。
（１４）現像カートリッジは、さらに、現像ローラシャフトが挿入され、現像ローラシャフトと電気的に接続されている軸受部材を備えてもよい。軸受部材は、シャフトと電気的に接続されてもよい。シャフトと電極とは接触してもよい。
（１５）電極は、さらに、電極の回転方向に沿って設けられた複数のギア歯であって、電極の周囲の一部に設けられた複数のギア歯を備えてもよい。
（１６）現像カートリッジは、さらに、現像剤を撹拌可能なアジテータであって、第１方向に延びる第２軸について回転可能なアジテータと、第１方向におけるアジテータの一方側に位置し、アジテータと共に回転可能な第１アジテータギアであって、複数のギア歯の少なくとも１つのギア歯と噛み合う第１アジテータギアと、を備えてもよい。
（１７）現像カートリッジは、さらに、第１方向におけるアジテータの他方側に位置し、アジテータと共に回転可能な第２アジテータギアと、第２アジテータギアと噛み合うアイドルギアと、アイドルギアと噛み合うカップリングギアを有し、第１方向に延びる第３軸について回転可能なカップリングと、を備えてもよい。
（１８）現像カートリッジは、さらに、第１方向における現像ローラの他方側に位置し、現像ローラと共に回転可能な現像ローラギアであって、カップリングギアと噛み合う現像ローラギアを備えてもよい。
（１９）カップリングは、駆動力を受けることが可能であり、駆動力に従って、第３軸について回転可能であってもよい。
【発明の効果】
【０００８】
本発明の現像カートリッジは、電極を利用して、現像カートリッジの仕様を検知できる。
【図面の簡単な説明】
【０００９】
【図１】図１は、第１実施形態の現像カートリッジ１を示す斜視図である。
【図２】図２は、第２外面３Ｂに設けられた構成の分解斜視図である。
【図３】図３は、第１外面３Ａに設けられた構成の分解斜視図である。
【図４】図４は、図３に示す軸受部材１２及び中継電極１３が筐体３に装着された状態の斜視図である。
【図５】図５は、図３に示す電極２３の斜視図である。
【図６】図６は、図３に示す軸受部材１２、中継電極１３及び電極２３が筐体３に装着された状態の概略構成図である。
【図７】図７は、図１に示す現像カートリッジ１の検知を説明するための説明図であって、第１突起２５が本体電極４１と接触した状態を示す。
【図８】図８は、図７に続いて、電極２３が回転し、第１突起２５が本体電極４１から離れた状態を示す。
【図９】図９は、図８に続いて、電極２３が回転し、第１突起２５が本体電極４１と再度接触した状態を示す。
【図１０】図１０は、第２実施形態の現像カートリッジ４５が備える電極４６の斜視図である。
【図１１】図１１は、現像カートリッジ４５の検知を説明するための説明図であって、第１突起２５が本体電極４１と接触した状態を示す。
【図１２】図１２は、図１１に続いて、電極４６が回転し、第１突起２５が本体電極４１から離れた状態を示す。
【図１３】図１３は、図１２に続いて、電極４６が回転し、第２突起４７が本体電極４１と接触した状態を示す。
【図１４】図１４は、図１３に続いて、電極４６が回転し、第２突起４７が本体電極４１から離れた状態を示す。
【図１５】図１５は、図１４に続いて、電極４６が回転し、第１突起２５が本体電極４１と接触した状態を示す。
【図１６】図１６は、第３実施形態の現像カートリッジ５０の概略構成図である。
【図１７】図１７は、第４実施形態の現像カートリッジ６０の概略構成図である。
【図１８】図１８は、第５実施形態の現像カートリッジ７０の概略構成図である。
【図１９】図１９は、第６実施形態の現像カートリッジ８０の概略構成図である。
【発明を実施するための形態】
【００１０】
１．現像カートリッジ
１．１  現像カートリッジの概略
図１を参照して、現像カートリッジ１の概略について説明する。図１に示すように、現像カートリッジ１は、現像ローラ２と、筐体３とを備える。
【００１１】
現像ローラ２は、現像剤を担持可能である。現像ローラ２は、第１方向に延びる。現像ローラ２は、第１方向に延びる第１軸Ａ１について回転可能である。現像ローラ２は、現像ローラシャフト２Ａを備える。現像ローラシャフト２Ａは、第１方向に延びる。現像ローラシャフト２Ａの材料は、例えば、ステンレスや鉄などの金属である。筐体３は、現像剤を、筐体３の内側に収容可能である。現像剤は、例えば、粉状のトナーである。筐体３は、角筒形状を有する。筐体３は、第１外面３Ａと、第２外面３Ｂとを備える。第１外面３Ａは、第１方向における筐体３の一方側の外面である。第２外面３Ｂは、第１方向における筐体３の他方側の外面である。第２外面３Ｂは、第１方向において、第１外面３Ａに対して間隔を隔てて位置する。
【００１２】
図１に示すように、現像カートリッジ１は、さらに、カップリング６と、電極２３と、カバー３１とを備える。電極２３は、第１外面３Ａに位置する。さらに、電極２３は、シャフト１１について回転可能である。カバー３１は、第１外面３Ａに取り付けられる。カバー３１は、電極２３の少なくとも一部を覆う。より詳細には、図１に示すように、電極２３は、第１突起２５を備える。また、カバー３１は、開口３１Ａを有する。開口３１Ａは、カバー３１を貫通する。第１突起２５は、開口３１Ａを介して露出される。カバー３１は、第１方向において、筐体３に対して、カップリング６と反対側に位置する。また、カップリング６は、第２外面３Ｂに位置する。
【００１３】
以下、図２を用いて、カップリング６の詳細について説明する。
【００１４】
１．２  カップリング６
図２に示すように、カップリング６は、画像形成装置から駆動力を受けることが可能である。カップリング６は、第１方向に延びる第３軸Ａ３について回転可能である。詳しくは、カップリング６は、画像形成装置の駆動入力部から入力される駆動力に従って、第３軸Ａ３について回転可能である。
【００１５】
図２に示すように、カップリング６は、継手９と、カップリングギア１０とを備える。
【００１６】
カップリングギア１０は、第１方向において、カップリング６の一方の端部に位置する。継手９は、第１方向において、カップリング６の他方の端部に位置する。継手９は、画像形成装置の駆動入力部に係合可能である。継手９が駆動入力部に係合することにより、カップリング６は、駆動入力部から駆動力を受けることが可能となる。受けた駆動力に基づいて、継手９は、第３軸Ａ３について回転可能である。また、カップリングギア１０は、継手９と共に第３軸Ａ３について回転可能である。カップリングギア１０は、継手９と一体に作られる。カップリングギア１０は、複数のギア歯を有する。複数のギア歯は、カップリングギア１０の回転方向に沿って、カップリングギア１０の周面に設けられる。
【００１７】
１．３  現像ローラギア８
現像カートリッジ１は、さらに、現像ローラギア８を備える。現像ローラギア８は、第２外面３Ｂに位置する。現像ローラギア８は、複数のギア歯を有する。複数のギア歯は、現像ローラギア８の回転方向に沿って、現像ローラギア８の周面に設けられる。現像ローラギア８は、カップリングギア１０と噛み合う。具体的には、現像ローラギア８の複数のギア歯のうち少なくとも１つの歯は、カップリングギア１０の複数のギア歯のうち少なくとも１つの歯と噛み合う。
【００１８】
現像ローラギア８は、現像ローラ２と共に回転可能である。つまり、現像ローラギア８は、現像ローラシャフト２Ａと共に回転可能である。より詳細には、図２及び図３に示すように、現像ローラシャフト２Ａは、一端部２Ｂと、一端部２Ｂと第１方向に離れた他端部２Ｃとを備える。一端部２Ｂは、第１方向における現像ローラ２の一方の端部である。他端部２Ｃは、第１方向における現像ローラ２の他方の端部である。一端部２Ｂは、第１外面３Ａを貫通し、筐体３の外側に露出する。他端部２Ｃは、第２外面３Ｂを貫通し、筐体３の外側に露出する。図２に示すように、現像ローラギア８は、他端部２Ｃに取り付けられ、現像ローラギア８は、現像ローラシャフト２Ａと共に回転可能である。つまり、現像ローラギア８は、第１方向における現像ローラ２の他方側に位置する。
【００１９】
１．４  アイドルギア７
現像カートリッジ１は、さらに、アイドルギア７を備える。アイドルギア７は、第２外面３Ｂに位置する。アイドルギア７は、第１ギア７Ａと、第２ギア７Ｂとを備える。第１ギア７Ａは、第１方向において、アイドルギア７の一方の端部に位置する。第２ギア７Ｂは、第１方向において、アイドルギア７の他方の端部に位置する。第２ギア７Ｂは、第１ギア７Ａよりも大径である。第１ギア７Ａは、複数のギア歯を有する。複数のギア歯は、アイドルギア７の回転方向に沿って、第１ギア７Ａの周面に設けられる。第２ギア７Ｂは、複数のギア歯を有する。複数のギア歯は、アイドルギア７の回転方向に沿って、第２ギア７Ｂの周面に設けられる。アイドルギア７は、カップリングギア１０と噛み合う。具体的には、第２ギア７Ｂの複数のギア歯のうち少なくとも１つの歯は、カップリングギア１０の複数のギア歯のうち少なくとも１つの歯と噛み合う。アイドルギア７は、第２外面３Ｂに備えられたボス１６について、回転可能である。
【００２０】
１．５  アジテータ４
図７に示すように、現像カートリッジ１は、さらに、アジテータ４を備える。アジテータ４は、筐体３内の現像剤を撹拌可能である。図２及び図７に示すように、アジテータ４は、第１方向に延びる第２軸Ａ２について回転可能である。
【００２１】
アジテータ４は、アジテータシャフト４Ａと、羽根４Ｂとを備える。アジテータシャフト４Ａは、第１方向に延びる。アジテータシャフト４Ａは、現像ローラシャフト２Ａと間隔を隔てて位置する。羽根４Ｂは、筐体３の内側に位置する。つまり、羽根４Ｂは、第１方向において、第１外面３Ａと第２外面３Ｂとの間に位置する。羽根４Ｂは、アジテータシャフト４Ａと共に、第２軸Ａ２について回転可能である。
【００２２】
図２及び図３に示すように、アジテータシャフト４Ａは、一端部４Ｃと、一端部４Ｃと第１方向に離れた他端部４Ｄとを備える。一端部４Ｃは、第１方向におけるアジテータ４の一方の端部である。他端部４Ｄは、第１方向におけるアジテータ４の他方の端部である。一端部４Ｃは、第１外面３Ａを貫通し、筐体３の外側に露出する。他端部４Ｄは、第２外面３Ｂを貫通し、筐体３の外側に露出する。
【００２３】
１．６  第１アジテータギア１９及び第２アジテータギア２０
図２及び図３に示すように、現像カートリッジ１は、第１アジテータギア１９を備え、さらに、現像カートリッジ１は、第２アジテータギア２０を備える。
【００２４】
第２アジテータギア２０は、第２外面３Ｂに位置する。第２アジテータギア２０は、アジテータ４と共に回転可能である。第２アジテータギア２０は、他端部４Ｄに取り付けられ、アジテータシャフト４Ａと共に回転可能である。図２に示すように、第２アジテータギア２０は、複数のギア歯を有する。複数のギア歯は、第２アジテータギア２０の回転方向に沿って、第２アジテータギア２０の周面に設けられる。第２アジテータギア２０は、アイドルギア７と噛み合う。具体的には、第１ギア７Ａの複数のギア歯のうち少なくとも１つの歯は、第２アジテータギア２０の複数のギア歯のうち少なくとも１つの歯と噛み合う。これにより、アジテータ４は、カップリングギア１０の回転に従って、第２軸Ａ２について回転可能となる。
【００２５】
図３及び図４に示すように、第１アジテータギア１９は、第１外面３Ａに位置する。第１アジテータギア１９は、第１方向において、筐体３に対してカップリング６と反対側に位置する。第１アジテータギア１９は、第１方向において、筐体３に対して第２アジテータギア２０と反対側に位置する。第１アジテータギア１９は、アジテータ４と共に回転可能である。第１アジテータギア１９は、一端部４Ｃに取り付けられ、アジテータシャフト４Ａと共に回転可能である。つまり、第１アジテータギア１９は、第１方向におけるアジテータ４の一方側に位置する。第２アジテータギア２０は、第１方向におけるアジテータ４の他方側に位置する。
【００２６】
第１アジテータギア１９は、複数のギア歯を有する。複数のギア歯は、第１アジテータギア１９の回転方向に沿って、第１アジテータギア１９の周面に設けられる。
【００２７】
以下、図３から図５を参照して、シャフト１１と電極２３との詳細を説明する。
【００２８】
１．７  シャフト１１
現像カートリッジ１は、さらに、シャフト１１を備える。シャフト１１は、第１方向に延びる。シャフト１１は、第１外面３Ａに位置する。シャフト１１は、第１方向における筐体３の一方側に位置する。シャフト１１は、円筒形状を有している。シャフト１１は、第１外面３Ａから第１方向に延びる。シャフト１１は、第１方向において、筐体３に対してカップリング６の反対側に位置する。シャフト１１は、第１方向において、筐体３に対して第２アジテータギア２０の反対側に位置する。シャフト１１は、第１方向において、筐体３に対して第１アジテータギア１９と同じ側に位置する。
【００２９】
シャフト１１は、第２方向において、現像ローラシャフト２Ａとアジテータシャフト４Ａとの間に位置する。第２方向は、シャフト１１と現像ローラシャフト２Ａとを結ぶことにより定義される。第２方向は、第１方向と直交する。
【００３０】
１．８  電極２３
電極２３は、現像ローラ２に電力を供給するための電極である。具体的には、電極２３は、画像形成装置から電力を受けるための電極である。電極２３は、第１突起２５を備える。電極２３は、シャフト１１について回転可能である。電極２３は、挿通穴２３Ｃを備える。挿通穴２３Ｃは、第１方向において電極２３を貫通する。挿通穴２３Ｃには、シャフト１１が挿通される。
【００３１】
図３に示すように、電極２３は、第１方向において、筐体３に対してカップリング６の反対側に位置する。電極２３は、第１方向において、筐体３に対して第２アジテータギア２０の反対側に位置する。電極２３は、第２方向において、現像ローラシャフト２Ａとアジテータシャフト４Ａとの間に位置する。
【００３２】
電極２３は、一端部２３Ａと、一端部２３Ａと第１方向に離れた他端部２３Ｂとを備える。一端部２３Ａは、第１方向において、他端部２３Ｂよりも第１外面３Ａから離れて位置する。電極２３の材料は、導電性の樹脂である。導電性の樹脂は、例えば、ＰＯＭ（ポリアセタール樹脂）である。
【００３３】
電極２３は、第１アジテータギア１９から伝達される駆動力を受けることができる。図３から図５に示すように、電極２３は、複数のギア歯２４を備える。複数のギア歯２４は、電極２３の周囲の一部に設けられる。複数のギア歯２４は、電極２３の回転方向に沿って設けられる。図３及び図７に示すように、複数のギア歯２４は、他端部２３Ｂの周囲の一部に、電極２３の回転方向に沿って設けられる。複数のギア歯２４の少なくとも１つのギア歯２４は、第１アジテータギア１９と噛み合う。具体的には、複数のギア歯２４の少なくとも１つのギア歯２４は、第１アジテータギア１９の複数のギア歯のうち少なくとも１つの歯と噛み合う。これにより、電極２３は、カップリングギア１０の回転に従って、シャフト１１について回転可能となる。
【００３４】
また、電極２３は、回転することにより、第１アジテータギア１９との噛み合いが解除される。上記のように、複数のギア歯２４は、電極２３の周囲の一部に設けられる。つまり、電極２３は、複数のギア歯２４が設けられていない欠け歯部分を有する。欠け歯部分は、他端部２３Ｂにおいて、電極２３の回転方向に複数のギア歯２４と並んでいる。
【００３５】
電極２３は、欠け歯部分を有するため、電極２３の複数のギア歯２４と第１アジテータギア１９との噛み合いが解除された後に、電極２３は、回転を停止する。
【００３６】
図３から図５に示すように、電極２３は、第１突起２５を備える。第１突起２５は、一端部２３Ａに位置する。第１突起２５は、電極２３と共に回転可能である。より詳細には、第１突起２５は、一端部２３Ａから第１方向に延びる。第１突起２５の材料は、上記の導電性の樹脂である。第１突起２５は、電極２３と一体に作られる。なお、第１突起２５は、一端部２３Ａに取り付けられても良い。
【００３７】
図３から図５に示すように、第１突起２５は、挿通穴２３Ｃの周りに位置する。図１に示すように、第１突起２５は、シャフト１１の先端部１１Ａの周りに位置する。より具体的には、図７に示すように、第１突起２５は、シャフト１１の周面１１Ｃの一部に沿って延びる。言い換えれば、第１突起２５は、電極２３の回転方向に沿って延びる。第１突起２５は、第１円弧面２５Ａを備える。第１円弧面２５Ａは、電極２３の回転方向に沿った第１突起２５の外周面である。第１円弧面２５Ａは、シャフト１１の周面１１Ｃの一部に沿って延びる。言い換えれば、第１円弧面２５Ａは、電極２３の回転方向に沿って延びる。第１円弧面２５Ａの中心角の角度θ１は、１０°以上３２０°以下である。なお、第１円弧面２５Ａの中心角は、シャフト１１の軸Ａ４と電極２３の回転方向における第１円弧面２５Ａの一方の端部とを結ぶ仮想の線分Ｓ１と、軸Ａ４と電極２３の回転方向における第１円弧面２５Ａの他方の端部とを結ぶ仮想の線分Ｓ２とに挟まれる角である。線分Ｓ１および線分Ｓ２は、軸Ａ４と直交する。図１に示すように、第１円弧面２５Ａも、第１突起２５と同様に、カバー３１から開口３１Ａを介して露出される。
【００３８】
１．９  軸受部材１２
図３及び図４に示すように、現像カートリッジ１は、さらに、軸受部材１２を備える。軸受部材１２は、現像ローラシャフト２Ａを受ける部材である。軸受部材１２は、現像ローラシャフト２Ａと電気的に接続される。軸受部材１２の材料は、例えば、上述した導電性の樹脂である。軸受部材１２は、第１外面３Ａに位置する。より詳細には、軸受部材１２は、第１方向において、第１外面３Ａと電極２３との間に位置する。軸受部材１２には、現像ローラシャフト２Ａが、挿入される。軸受部材１２は、穴１２Ａを備える。穴１２Ａは、第１方向において、軸受部材１２を貫通する。穴１２Ａには、一端部２Ｂが挿入される。軸受部材１２は、一端部２Ｂと接触する。詳しくは、穴１２Ａの内周面は、一端部２Ｂの外周面と接触する。軸受部材１２は、さらに、開口１２Ｂを備える。開口１２Ｂは、第２方向において、穴１２Ａに対して間隔を隔てて位置する。開口１２Ｂは、第１方向において、軸受部材１２を貫通する。開口１２Ｂには、シャフト１１が、挿通される。
【００３９】
１．１０  中継電極１３
図３及び図４に示すように、現像カートリッジ１は、さらに、中継電極１３を備える。中継電極１３は、軸受部材１２と電極２３とを電気的に接続するための部材である。このため、電極２３は、画像形成装置から電力を受け、受けた電力を、中継電極１３を介して軸受部材１２へ供給することができる。これにより、現像ローラシャフト２Ａは、軸受部材１２を介して電力を受けることができる。より詳細には、図３及び図４に示すように、中継電極１３は、第１外面３Ａに位置する。中継電極１３は、第１方向において、第１外面３Ａと電極２３との間に位置する。中継電極１３は、第２方向において、現像ローラシャフト２Ａとアジテータシャフト４Ａとの間に位置する。図４に示すように、中継電極１３は、開口１４Ａを有する。開口１４Ａは、第１方向において、中継電極１３を貫通する。開口１４Ａには、シャフト１１が、挿通される。
【００４０】
図６に示すように、中継電極１３は、軸受部材１２と電極２３とを電気的に接続する。中継電極１３の材料は、例えば、ステンレスなどの金属である。より詳細には、中継電極１３は、軸受部材１２と接触する。中継電極１３は、電極２３と接触する。中継電極１３は、第１接点１４と、第２接点１５とを備える。第１接点１４と、第２接点１５とは、第１方向において互いに離れている。図４に示すように、第２接点１５は、シャフト１１の周りに間隔を空けて位置する。図６に示すように、第１接点１４は、軸受部材１２と接触する。第１接点１４は、第１方向において、第１外面３Ａと軸受部材１２とに挟まれる。第２接点１５は、開口１２Ｂを通って、電極２３の他端部２３Ｂと接触する。
【００４１】
また、中継電極１３は、１枚の金属板が折り返されている。つまり、中継電極１３は、板ばねである。中継電極１３は、電極２３を筐体３から離れる方向に押圧可能である。中継電極１３は、第２接点１５が電極２３の他端部２３Ｂに接触することにより、第１方向において、第２接点１５が第１接点１４に近づくように変形する。中継電極１３は、変形により弾性エネルギーを蓄え、その弾性エネルギーにより電極２３を押圧する。詳しくは、第２接点１５が、弾性エネルギーにより、電極２３の他端部２３Ｂを押圧する。そのため、中継電極１３は、電極２３と安定して接触する。
【００４２】
上述した構造により、現像ローラシャフト２Ａと電極２３とは、電気的に接続される。詳しくは、電極２３は、中継電極１３および軸受部材１２を介して、現像ローラシャフト２Ａと電気的に接続される。上述したように、電極２３の材料は、導電性の樹脂である。中継電極１３の材料は、例えば、金属である。そして、電極２３の他端部２３Ｂは、中継電極１３の第２接点１５と接触する。そのため、電極２３は、中継電極１３と電気的に接続される。
【００４３】
２．現像カートリッジ１の検知について
図７〜図９を参照して、現像カートリッジ１の検知について説明する。
【００４４】
現像カートリッジ１は、画像形成装置により検知可能である。また、現像カートリッジ１は、画像形成装置に着脱可能である。図７に示すように、画像形成装置は、レバー４０と、本体電極４１と、図示しない検知部とを備える。画像形成装置は、さらに、図示しない駆動入力部を備える。レバー４０は、第１突起２５と接触することにより移動可能である。詳しくは、レバー４０は、第１方向に延びる軸について揺動可能である。本体電極４１は、レバー４０に設けられる。
【００４５】
現像カートリッジ１が画像形成装置に装着されると、図７に示すように、本体電極４１が、第１突起２５の第１円弧面２５Ａに接触する。すると、レバー４０は、第１のポジションに位置する。そして、検知部は、レバー４０が第１のポジションに位置することを検知する。また、本体電極４１が第１円弧面２５Ａに接触した状態で、本体電極４１が電力の供給を開始すると、電極２３は、中継電極１３および軸受部材１２を介して、現像ローラシャフト２Ａに電力を供給することができる。
【００４６】
そして、現像カートリッジ１が画像形成装置に装着された状態で、駆動入力部は、カップリング６に駆動力の入力を開始すると、上述したように、電極２３は、シャフト１１について回転する。すると、第１突起２５は、電極２３と共に回転する。そして、図８に示すように、第１突起２５の第１円弧面２５Ａが、本体電極４１から離れる。つまり、第１円弧面２５Ａは、本体電極４１と接触しない。そのため、本体電極４１と電極２３との電気的接続が解除され、現像ローラシャフト２Ａへの電力の供給が停止する。そして、図８に示すように、レバー４０は、第１のポジションから第２のポジションへ移動する。レバー４０は、第２のポジションにおいて、シャフト１１の先端部１１Ａに接触する。そして、検知部は、レバー４０が第２のポジションに位置することを検知する。
【００４７】
その後、図９に示すように、第１突起２５は、電極２３と共にさらに回転し、再び、第１円弧面２５Ａが、本体電極４１と接触する。このとき、図９に示すように、レバー４０は、第２のポジションから第１のポジションへ移動する。
【００４８】
そして、複数のギア歯２４は、第１アジテータギア１９との噛み合いが解除される。つまり、電極２３の欠け歯部分が、第１アジテータギア１９と向かい合う。そのため、電極２３の回転は停止する。その結果、電極２３は、第１円弧面２５Ａが本体電極４１と接触した状態で回転を停止する。
【００４９】
これにより、電極２３は、中継電極１３および軸受部材１２を介して、現像ローラシャフト２Ａに電力を再度供給可能となる。また、レバー４０は、第１のポジションを維持する。検知部は、レバー４０が第１のポジションに位置することを検知する。検知部が、所定の時間内に、レバー４０が、第１のポジションから、第２のポジションへ移動し、さらに、第２のポジションから第１のポジションに移動したことを検知した場合、画像形成装置は、レバー４０の位置の変化に基づいて、現像カートリッジ１の仕様を判断することができる。現像カートリッジ１の仕様は、例えば、現像カートリッジ１が新品の現像カートリッジであるかである。また、現像カートリッジ１の仕様は、例えば、現像カートリッジ１で印刷可能な印刷可能枚数である。また、画像形成装置は、電極２３によるレバー４０の位置の推移から、現像カートリッジ１の具体的な印刷可能枚数を特定することができる。
【００５０】
また、検知部が、所定の時間、レバー４０が第１のポジションに位置し続けたことを検知した場合、画像形成装置は、旧品の現像カートリッジ１が装着されたと判断しても良い。なお、レバー４０は、現像カートリッジ１が装着されていない場合、第２のポジションに位置する。これにより、画像形成装置は、電極２３を用いて、現像カートリッジ１の仕様を判断することができる。
【００５１】
３．作用効果
図７に示すように、現像カートリッジ１は、シャフト１１について回転可能であり、現像ローラ２に電力を供給するための電極２３を備える。電極２３は、本体電極４１と接触することにより、現像ローラ２に電力を供給可能となる。また、電極２３は、電極２３と共に回転可能な第１突起２５を備える。第１突起２５は、電極２３と共に回転することにより、レバー４０を移動させる。画像形成装置は、レバー４０の位置の変化に基づいて、現像カートリッジ１の仕様を判断することができる。そのため、レバー４０を移動させる機能と、現像ローラ２に電力を供給する機能とを、１つの電極２３で実現できる。その結果、電極２３を利用して、現像カートリッジの仕様を検知できる現像カートリッジ１を提供できる。
【００５２】
図３に示すように、現像カートリッジ１は、さらに、軸受部材１２と、中継電極１３とを備える。軸受部材１２は、現像ローラシャフト２Ａが挿入され、現像ローラシャフト２Ａと電気的に接続される。中継電極１３は、軸受部材１２と電極２３とを電気的に接続する。そのため、電極２３は、中継電極１３及び軸受部材１２を介して、現像ローラ２に電力を確実に供給できる。
【００５３】
４．第２実施形態
図１０〜図１５を参照して、第２実施形態の現像カートリッジ４５について説明する。なお、現像カートリッジ４５において、第１実施形態の現像カートリッジ１と同じ部材については、同じ符号を付し、説明を省略する。
【００５４】
４．１  現像カートリッジ４５の概略
第１実施形態の現像カートリッジ１と、第２実施形態の現像カートリッジ４５とは、印刷可能枚数が互いに異なる。つまり、現像カートリッジ４５の筐体３に収容された現像剤の量は、現像カートリッジ１の筐体３に収容された現像剤の量と異なる。図１０及び図１１に示すように、第２実施形態では、現像カートリッジ４５は、電極４６を備える。電極４６は、第１突起２５を備える。電極４６は、さらに、第２突起４７を備える。電極４６は、第２突起４７を備える以外、第１実施形態の電極２３と同じ構造である。
【００５５】
４．２  第２突起４７
第２突起４７は、一端部２３Ａに位置する。第２突起４７は、電極４６と共に回転可能である。より詳細には、第２突起４７は、一端部２３Ａから第１方向に延びる。第２突起４７の材料は、上記の導電性の樹脂である。第２突起４７は、電極４６と一体に作られる。なお、第２突起４７は、一端部２３Ａに取り付けられても良い。
【００５６】
図１０に示すように、第２突起４７は、挿通穴２３Ｃの周りに位置する。図１１に示すように、第２突起４７は、シャフト１１の先端部１１Ａの周りに位置する。より具体的には、第２突起４７は、シャフト１１の周面１１Ｃの一部に沿って延びる。言い換えれば、第２突起４７は、電極４６の回転方向に沿って延びる。第２突起４７は、第２円弧面４７Ａを備える。第２円弧面４７Ａは、電極４６の回転方向に沿った第２突起４７の外周面である。第２円弧面４７Ａは、シャフト１１の周面１１Ｃの一部に沿って延びる。第２円弧面４７Ａは、電極４６の回転方向に沿って延びる。第２円弧面４７Ａの中心角の角度θ２は、１０°以上２５０°以下である。なお、第２円弧面４７Ａの中心角は、シャフト１１の軸Ａ４と電極４６の回転方向における第２円弧面４７Ａの一方の端部とを結ぶ仮想の線分Ｓ３と、軸Ａ４と電極４６の回転方向における第２円弧面４７Ａの他方の端部とを結ぶ仮想の線分Ｓ４とに挟まれる角である。線分Ｓ３および線分Ｓ４は、軸Ａ４と直交する。第１円弧面２５Ａの曲率半径と、第２円弧面４７Ａの曲率半径とは、互いに同じである。第１円弧面２５Ａの曲率半径は、シャフト１１の軸Ａ４に対して直交し、軸Ａ４と第１円弧面２５Ａとを結ぶ線分の長さにより定義される。第１円弧面２５Ａの曲率半径は、線分Ｓ１の長さと同じである。第２円弧面４７Ａの曲率半径は、軸Ａ４に対して直交し、軸Ａ４と第２円弧面４７Ａとを結ぶ線分の長さにより定義される。第２円弧面４７Ａの曲率半径は、線分Ｓ３の長と同じである。また、線分Ｓ１の長さと、線分Ｓ２の長さと、線分Ｓ３の長と、線分Ｓ４の長さとは、互いに同じである。第１円弧面２５Ａの中心角の角度θ１は、第２円弧面４７Ａの中心角の角度θ２よりも大きい。電極４６の回転方向における第１円弧面２５Ａの長さは、電極４６の回転方向における第２円弧面４７Ａの長さよりも大きい。
【００５７】
また、図１２に示すように、電極４６の回転方向における第１突起２５の第１長さＬ１と、電極４６の回転方向における第２突起４７の第２長さＬ２とは、互いに異なる。第１突起２５の第１長さＬ１は、第２突起４７の第２長さＬ２よりも大きい。なお、第１長さＬ１は、電極４６の回転方向における第１突起２５の一方の端部と他方の端部との間の長さである。詳しくは、図１０に示すように、第１突起２５は、さらに、第１傾斜面３５と、第２傾斜面３６とを備える。第１傾斜面３５は、電極４６の回転方向において、第１突起２５の一方の端部に位置する。第２傾斜面３６は、電極４６の回転方向において、第１突起２５の他方の端部に位置する。図１２に示すように、第１傾斜面３５は、電極４６がシャフト１１に装着された状態において、電極４６の回転方向における第１円弧面２５Ａの一方の端部から連続して、シャフト１１に向かって延びる。第１傾斜面３５は、一端部３５Ａと、電極４６の回転方向に一端部３５Ａと離れた他端部３５Ｂとを備える。他端部３５Ｂは、電極４６の回転方向において、一端部３５Ａよりも第１円弧面２５Ａから離れて位置する。第２傾斜面３６は、電極４６がシャフト１１に装着された状態において、電極４６の回転方向における第１円弧面２５Ａの他方の端部から連続して、シャフト１１に向かって延びる。第２傾斜面３６は、一端部３６Ａと、電極４６の回転方向に一端部３６Ａと離れた他端部３６Ｂとを備える。他端部３６Ｂは、電極４６の回転方向において、一端部３６Ａよりも第１円弧面２５Ａから離れて位置する。第１長さＬ１は、電極４６の回転方向における第１傾斜面３５の他端部３５Ｂと第２傾斜面３６の他端部３６Ｂとの間の長さである。
【００５８】
第２長さＬ２は、電極４６の回転方向における第２突起４７の一方の端部と他方の端部との間の長さである。詳しくは、図１０に示すように、第２突起４７は、さらに、第１傾斜面４８と、第２傾斜面４９とを備える。第１傾斜面４８は、電極４６の回転方向において、第２突起４７の一方の端部に位置する。第２傾斜面４９は、電極４６の回転方向において、第２突起４７の他方の端部に位置する。図１２に示すように、第１傾斜面４８は、電極４６がシャフト１１に装着された状態において、電極４６の回転方向における第２円弧面４７Ａの一方の端部から連続して、シャフト１１に向かって延びる。第１傾斜面４８は、一端部４８Ａと、電極４６の回転方向に一端部４８Ａと離れた他端部４８Ｂとを備える。他端部４８Ｂは、電極４６の回転方向において、一端部４８Ａよりも第２円弧面４７Ａから離れて位置する。第２傾斜面４９は、電極４６がシャフト１１に装着された状態において、電極４６の回転方向における第２円弧面４７Ａの他方の端部から連続して、シャフト１１に向かって延びる。第２傾斜面４９は、一端部４９Ａと、電極４６の回転方向に一端部４９Ａと離れた他端部４９Ｂとを備える。他端部４９Ｂは、電極４６の回転方向において、一端部４９Ａよりも第２円弧面４７Ａから離れて位置する。第２長さＬ２は、電極４６の回転方向における第１傾斜面４８の他端部４８Ｂと第２傾斜面４９の他端部４９Ｂとの間の長さである。
【００５９】
第２突起４７は、電極４６の回転方向において、第１突起２５から離れて位置する。第２傾斜面４９は、電極４６の回転方向において、第１傾斜面３５に対して間隔Ｌ３を隔てて位置する。間隔Ｌ３は、電極４６の回転方向における第１傾斜面３５の他端部３５Ｂと第２傾斜面４９の他端部４９Ｂとの間の長さである。第１傾斜面４８は、電極４６の回転方向において、第２傾斜面３６に対して間隔Ｌ４を隔てて位置する。間隔Ｌ４は、電極４６の回転方向における第１傾斜面４８の他端部４８Ｂと第２傾斜面３６の他端部３６Ｂとの間の長さである。
【００６０】
４．３  現像カートリッジ４５の検知について
図１１〜図１５を参照して、現像カートリッジ４５の検知動作について説明する。
【００６１】
現像カートリッジ４５が画像形成装置に装着されると、図１１に示すように、本体電極４１が、第１突起２５の第１円弧面２５Ａに接触する。すると、レバー４０は、第１のポジションに位置する。そして、検知部は、レバー４０が第１のポジションに位置することを検知する。また、本体電極４１が第１円弧面２５Ａに接触した状態で、本体電極４１が電力の供給を開始すると、電極４６は、中継電極１３および軸受部材１２を介して、現像ローラシャフト２Ａに電力を供給することができる。
【００６２】
そして、現像カートリッジ４５が画像形成装置に装着された状態で、駆動入力部は、カップリング６に駆動力の入力を開始すると、上述したように、電極４６は、シャフト１１について回転する。これにより、第１突起２５及び第２突起４７は、電極４６と共に回転する。
【００６３】
そして、図１２に示すように、第１突起２５の第１円弧面２５Ａが、本体電極４１から離れる。つまり、第１円弧面２５Ａは、本体電極４１と接触しない。すると、図１２に示すように、レバー４０は、第１のポジションから第２のポジションへ移動する。レバー４０は、第２のポジションにおいて、第１突起２５と第２突起４７との間において、シャフト１１の先端部１１Ａに接触する。そして、検知部は、レバー４０が第２のポジションに位置することを検知する。
【００６４】
その後、図１３に示すように、第２突起４７は、電極４６と共にさらに回転し、第２円弧面４７Ａは、本体電極４１と接触する。このとき、レバー４０は、第２のポジションから第１のポジションへ移動する。
【００６５】
次いで、図１４に示すように、第２突起４７の第２円弧面４７Ａが、本体電極４１から離れる。つまり、第２円弧面４７Ａは、本体電極４１と接触しない。すると、レバー４０は、第１のポジションから第２のポジションへ移動する。レバー４０は、第２のポジションにおいて、シャフト１１の先端部１１Ａに接触する。そして、検知部は、レバー４０が第２のポジションに位置することを検知する。
【００６６】
その後、図１５に示すように、第１突起２５は、電極４６と共に回転し、第１円弧面２５Ａが、本体電極４１と接触する。このとき、レバー４０は、第２のポジションから第１のポジションへ移動する。そして、複数のギア歯２４は、第１アジテータギア１９との噛み合いが解除される。つまり、電極４６の欠け歯部分が第１アジテータギア１９と向かい合う。そのため、電極４６は、第１円弧面２５Ａが本体電極４１と接触した状態で回転を停止する。
【００６７】
これにより、電極４６は、中継電極１３及び軸受部材１２を介して、現像ローラシャフト２Ａに電力を供給することができる。また、レバー４０は、第１のポジションを維持する。検知部は、レバー４０が第１のポジションに位置することを検知する。検知部が、所定の時間内に、レバー４０が、第１のポジションから第２のポジションへ移動し、第２のポジションから第１のポジションへ移動し、さらに、第２のポジションから第１のポジションへ移動したことを検知した場合、画像形成装置は、レバー４０の位置の変化に基づいて、現像カートリッジ４５の仕様を判断することができる。現像カートリッジ４５の仕様は、例えば、現像カートリッジ１が新品の現像カートリッジであるかである。また、現像カートリッジ４５の仕様は、例えば、現像カートリッジ４５で印刷可能な印刷可能枚数である。
【００６８】
また、電極４６によるレバー４０の位置の推移は、電極２３によるレバー４０の位置の推移と異なる。このため、画像形成装置は、現像カートリッジ１の印刷可能枚数と、現像カートリッジ４５の印刷可能枚数とが異なると判断することができる。また、画像形成装置は、電極４６によるレバー４０の位置の推移から、現像カートリッジ４５の具体的な印刷可能枚数を特定することができる。
【００６９】
４．４  第２実施形態の作用効果
図１１に示すように、電極４６は、第１突起２５及び第２突起４７を備える。そのため、第１実施形態と同様に、レバー４０を移動させる機能と、現像ローラ２に電力を供給する機能とを、１つの電極４６で実現できる。
【００７０】
また、電極４６には、２つの突起が設けられている。そのため、電極４６は、１つの突起が設けられる電極２３よりも、レバー４０の位置の移動回数を増やすことができる。その結果、電極４６によるレバー４０の位置の推移を、１つの突起が設けられる電極２３によるレバー４０の位置の推移と異ならせることができる。そして、レバー４０の位置の推移が異なることを、検知部に検知させることができる。これにより、２つの突起が設けられる電極４６を備える現像カートリッジ４５の仕様が、１つの突起が設けられる電極２３を備える現像カートリッジ１の仕様と異なることを、画像形成装置に判別させることができる。
【００７１】
５．第３実施形態
図１６を参照して、第３実施形態の現像カートリッジ５０について説明する。なお、現像カートリッジ５０において、第１実施形態の現像カートリッジ１と同じ部材については、同じ符号を付し、説明を省略する。
【００７２】
第３実施形態の現像カートリッジ５０では、電極２３は、第２方向において、軸受部材１２と間隔を隔てて位置する。現像カートリッジ５０は、電極２３と軸受部材１２とを電気的に接続する中継電極５１を備える。
【００７３】
電極２３は、第１外面３Ａに位置する。中継電極５１は、軸受部材１２と接触する。中継電極５１は、電極２３と接触する。中継電極５１は、第２方向に延びる。
【００７４】
より詳細には、中継電極５１は、第１接点５１Ａと、第２接点５１Ｂとを備える。第１接点５１Ａは、第２方向において、中継電極５１の一方の端部に位置する。第２接点５１Ｂは、第２方向において、中継電極５１の他方の端部に位置する。第１接点５１Ａは、軸受部材１２と接触する。第２接点５１Ｂは、第１方向において、第１外面３Ａと電極２３との間に挟まれる。第２接点５１Ｂは、他端部２３Ｂと接触する。
【００７５】
第２接点５１Ｂは、１枚の金属板が折り返されている。中継電極５１は、電極２３を筐体３から離れる方向に押圧可能である。中継電極５１は、第２接点５１Ｂが電極２３の他端部２３Ｂに接触することにより、第１方向において、第２接点５１Ｂが第１外面３Ａに近づくように変形する。中継電極５１は、変形により弾性エネルギーを蓄え、その弾性エネルギーにより電極２３を押圧する。詳しくは、第２接点５１Ｂが、弾性エネルギーにより、電極２３の他端部２３Ｂを押圧する。そのため、中継電極５１は、電極２３と安定して接触する。
【００７６】
第３実施形態では、中継電極５１が、電極２３と軸受部材１２とを電気的に接続する。そのため、電極２３は、中継電極５１及び軸受部材１２を介して、現像ローラシャフト２Ａと電気的に接続される。このような第３実施形態によっても、第１実施形態と同様の作用効果を奏することができる。
【００７７】
６．第４実施形態
図１７を参照して、第４実施形態の現像カートリッジ６０について説明する。なお、現像カートリッジ６０において、第３実施形態の現像カートリッジ５０と同じ部材については、同じ符号を付し、説明を省略する。
【００７８】
第４実施形態の現像カートリッジ６０は、中継電極を備えていない。電極２３は、軸受部材１２と電気的に接続される。電極２３と軸受部材１２とは接触する。電極２３の他端部２３Ｂが、軸受部材１２と直接接触する。これによって、電極２３は、軸受部材１２を介して、現像ローラシャフト２Ａと電気的に接続される。そのため、このような第４実施形態によっても、第１実施形態と同様の作用効果を奏することができる。
【００７９】
７．第５実施形態
図１８を参照して、第５実施形態の現像カートリッジ７０について説明する。なお、現像カートリッジ７０において、第４実施形態の現像カートリッジ６０と同じ部材については、同じ符号を付し、説明を省略する。
【００８０】
現像カートリッジ７０は、さらに、押圧部材７１を備える。押圧部材７１は、電極２３を軸受部材１２に向かって押圧する。押圧部材７１は、バネ、具体的には、コイルバネである。押圧部材７１は、先端部１１Ａの周りに位置する。押圧部材７１は、第１方向において、カバー３１と電極２３との間に位置する。第１方向における押圧部材７１の一方の端部は、カバー３１と接触する。第１方向における押圧部材７１の他方の端部は、電極２３と接触する。詳しくは、カバー３１は、壁５２を備える。壁５２は、第１方向において、電極２３に対して軸受部材１２の反対側に位置する。押圧部材７１は、第１方向において、壁５２と一端部２３Ａとの間に位置する。第１方向における押圧部材７１の一方の端部は、壁５２と接触する。第１方向における押圧部材７１の他方の端部は、一端部２３Ａと接触する。これにより、壁５２が押圧部材７１の反力を受ける。そして、押圧部材７１が、第１方向において、電極２３を軸受部材１２に向かって押圧する。
【００８１】
第５実施形態によれば、押圧部材７１が、電極２３を軸受部材１２に向かって押圧する。そのため、電極２３と軸受部材１２とを確実に接触させることができる。その結果、電極２３は、軸受部材１２を介して、現像ローラシャフト２Ａと確実に電気的に接続される。このような第５実施形態によっても、第１実施形態と同様の作用効果を奏することができる。なお、押圧部材７１は、ゴムからなってもよい。
【００８２】
８．第６実施形態
図１９を参照して、第６実施形態の現像カートリッジ８０について説明する。なお、現像カートリッジ８０において、第１実施形態の現像カートリッジ１と同じ部材については、同じ符号を付し、説明を省略する。
【００８３】
現像カートリッジ８０では、軸受部材１２は、シャフト１１と電気的に接続される。シャフト１１は、軸受部材１２から第１方向に延びる。つまり、シャフト１１は、軸受部材１２と一体に作られる。シャフト１１の材料は、上述した導電性の樹脂である。
【００８４】
そして、電極２３は、電極２３が本体電極４１に接触されたときに、シャフト１１と接触する。つまり、電極２３とシャフト１１とは接触する。これにより、電極２３は、シャフト１１及び軸受部材１２を介して、現像ローラシャフト２Ａに電気的に接続される。そのため、このような第６実施形態によっても、第１実施形態と同様の作用効果を奏することができる。
【００８５】
なお、シャフト１１は、軸受部材１２と別体であってもよい。シャフト１１が軸受部材１２と別体である場合、シャフト１１は、軸受部材１２と接触する。
【００８６】
１２．変形例
（１）上記した第１突起２５は、電極２３に一体に設けられるが、突起は、電極２３と共に回転可能であれば、一体であるか否か問わない。電極２３と別体の突起が、電極に取り付けられていてもよい。また、電極２３と別体の突起の個数も問わない。電極２３と別体の２つの突起が、電極に取り付けられてもよい。
（２）上記した第２実施形態では、電極４６の回転方向における第１円弧面２５Ａの長さが、電極４６の回転方向における第２円弧面４７Ａの長さよりも大きいが、電極４６の回転方向における第１円弧面２５Ａの長さと、電極４６の回転方向における第２円弧面４７Ａの長さとは、同じであってもよい。また、電極４６の回転方向における第２円弧面４７Ａの長さが、電極４６の回転方向における第１円弧面２５Ａの長さよりも大きくてもよい。
（３）上記した第１実施形態では、電極２３は、複数のギア歯２４と第１アジテータギア１９との噛み合いにより、カップリング６からの駆動力が伝達される。その後、電極２３は、複数のギア歯２４と第１アジテータギア１９との噛み合いが解除されることにより、カップリング６からの駆動力の伝達が解除される。
【００８７】
このような電極２３への駆動力の伝達を解除する構成は、特に制限されない。例えば、現像カートリッジは、第１アジテータギア１９と電極２３との間に中間ギアを備えてもよい。中間ギアは、中間ギアの周囲の一部に複数のギア歯が設けられる。つまり、中間ギアは、複数のギア歯と、欠け歯部分とを備える。そのため、中間ギアは、回転によりギアとの噛み合いを解除できる。
【００８８】
また、中間ギアは、回転に伴って第１方向に移動するように構成されてもよい。この場合、中間ギアは、全周にわたって複数のギア歯を備えてもよく、周囲の一部にギア歯を備えてもよい。そして、中間ギアは、回転に伴って第１方向に移動することにより、ギアとの噛み合いが解除される。これらによっても、電極２３への駆動力の伝達を解除できる。これらの場合、電極２３は、全周にわたって複数のギア歯を備えてもよく、周囲の一部にギア歯を備えてもよい。
（４）上記した電極２３は、複数のギア歯２４を備えるが、電極２３は、複数のギア歯２４に代えて、ゴムなどの摩擦部材を備えてもよい。また、電極４６は、複数のギア歯２４に代えて、ゴムなどの摩擦部材を備えてもよい。また、中間ギアは、複数のギア歯に代えて、ゴムなどの摩擦部材を備えてもよい。
【符号の説明】
【００８９】
１      現像カートリッジ
２      現像ローラ
２Ａ    現像ローラシャフト
３      筐体
４      アジテータ
６      カップリング
７      アイドルギア
８      現像ローラギア
１０    カップリングギア
１１    シャフト
１１Ｃ  周面
１２    軸受部材
１３    中継電極
１９    第１アジテータギア
２０    第２アジテータギア
２３    電極
２５    第１突起
２５Ａ  第１円弧面
３１    カバー
４５    現像カートリッジ
４６    電極
４７    第２突起
５０    現像カートリッジ
５１    中継電極
６０    現像カートリッジ
７０    現像カートリッジ
７１    押圧部材
８０    現像カートリッジ
Ａ１    第１軸
Ａ２    第２軸
Ａ３    第３軸
【図１】
2017167350.tif 000003
【図２】
2017167350.tif 000004
【図３】
2017167350.tif 000005
【図４】
2017167350.tif 000006
【図５】
2017167350.tif 000007
【図６】
2017167350.tif 000008
【図７】
2017167350.tif 000009
【図８】
2017167350.tif 000010
【図９】
2017167350.tif 000011
【図１０】
2017167350.tif 000012
【図１１】
2017167350.tif 000013
【図１２】
2017167350.tif 000014
【図１３】
2017167350.tif 000015
【図１４】
2017167350.tif 000016
【図１５】
2017167350.tif 000017
【図１６】
2017167350.tif 000018
【図１７】
2017167350.tif 000019
【図１８】
2017167350.tif 000020
【図１９】
2017167350.tif 000021